(57)【要約】  【課題】見栄えがよく、かつ持ちやすい除湿機等の把手装置を提供する。  【解決手段】  合成樹脂製の断面逆凹状の上側把手２３と、該上側把手２３の開口部に下方から内嵌された合成樹脂製の下側把手２４と、上側把手２３と下側把手２４とで囲まれた空間内に配設された補強金具２５とから構成され、少なくとも中央握り部３１において、下側把手２４が上側把手２３の下端縁２３ａよりも下方に突出され、該突出部分３２に段差２２が形成される。この段差３３により、重量物である除湿機でも持ち運びの際に指関節が引っ掛かりやすくなり、握りやすく、かつ見栄えの良い把手装置を提供することができる。【選択図】  図３
2007237076.tif 000002
【特許請求の範囲】
【請求項１】
合成樹脂製の把手の内部に補強金具が埋設された把手装置において、少なくとも中央握り部において、下側部に対して上側部の断面形状が大きく形成され、両者の間に段差が形成されたことを特徴とする把手装置。
【請求項２】
合成樹脂製の断面逆凹状の上側把手と、該上側把手の開口部に下方から内嵌された合成樹脂製の下側把手と、上側把手と下側把手とで囲まれた空間内に配設された補強金具とから構成され、少なくとも中央握り部において、下側把手が上側把手の下端縁よりも下方に突出され、該突出部分に段差が形成されたことを特徴とする把手装置。
【請求項３】
上下の把手がアーチ状に形成され、上側把手の下端縁の曲率半径が下側把手の下端縁の曲率半径よりも小さく設定され、下側把手の突出部分が中央握り部で最も大きくし、左右端部に向かうに従い徐々に小さくなるようにする設定されたことを特徴とする請求項２に記載の把手装置。
【請求項４】
移動可能なハウジングの上面に請求項１〜３のいずれかに記載の把手装置が設けられたことを特徴とする空気調節装置。
【発明の詳細な説明】
【技術分野】
【０００１】
本発明は、移動可能な除湿機等の空気調節装置に用いられる把手装置に関する。
【背景技術】
【０００２】
除湿機等の空気調節装置は、ハウジングの内部に圧縮機、凝縮器、および蒸発器が接続されて冷凍サイクルが構成され、また、ハウジングには送風ファンが設けられているため、重量物となっている。しかも、除湿機等の空気調節装置は、除湿が必要な室内空間を移動することが多い。
【０００３】
そのため、これらの除湿機等の空気調節装置には、そのハウジングの上面側に把手装置が取り付けられる（特許文献１参照）。
【０００４】
この種の把手装置は、持ち運びする除湿機自体が重量物であるため、合成樹脂製の上下把手の内部に補強用金具を挟み込んだり、あるいは合成樹脂製の把手の裏面側に補強金具を貼り合せたりして、補強している。
【特許文献１】特開２００３−２０２１２７号公報（段落００２１参照）
【発明の開示】
【発明が解決しようとする課題】
【０００５】
ところで、上述のように合成樹脂製の把手に補強金具を付設した把手装置において、内部に補強金具を収容するタイプでは、上下の把手を嵌め合わせる態様となり、その接合部が握り部のコーナー部に位置し、把持する際に接合部が角当たりし、持ち難いといった難点がある。また、把手の裏面に補強金具を貼り合せるタイプでは、補強金具が剥き出しの状態となるため、見栄えが悪く、また、両者の接合部が握り部のコーナー部に位置することで角当たりする可能性があり、持ち難いといった難点があった。
【０００６】
本発明は、上記に鑑み、見栄えがよく、かつ持ちやすい把手装置の提供を目的とする。
【課題を解決するための手段】
【０００７】
上記目的を達成するために、本発明は、合成樹脂製の把手の内部に補強金具が内設された把手装置において、少なくとも中央握り部において、下側部に対して上側部の断面形状が大きく形成され、両者の間に段差が形成されたことを特徴とする。
【０００８】
上記構成によると、中央握り部において、下側部に対して上側部の断面形状が大きく形成されることにより、両者間の外周面に段差が形成されることになるので、持ち運びの際に、掌側の指関節部位が段差に当たり、握りやすくなる。
【０００９】
握り部の段差形状は、種々の態様で形成することができる。例えば、合成樹脂製の把手に補強金具を埋設してインサート成形する際に、金型に段差形状に見合う段差を形成しておく方法が挙げられる。
【００１０】
これ以外に、把手装置は、合成樹脂製の断面逆凹状の上側把手と、該上側把手の開口部に下方から内嵌された合成樹脂製の下側把手と、上側把手と下側把手とで囲まれた空間内に配設された補強金具とから構成し、上下の把手を嵌め合わせる際に、少なくとも中央握り部において、下側把手を上側把手の下端縁よりも下方に突出させ、該突出部分に段差を形成することもできる。
【００１１】
上記構成によると、別々に成形した上下の把手を嵌め合わせ、その際に内部に補強金具を収容することになり、その組立が容易に行える。このとき、断面逆凹状の上側把手の開口部に下方の内側から下側把手を嵌め合わせ、中央握り部において、下側把手が上側把手の下端縁よりも下方に突出させると、突出部分と上側把手の下端縁との間に段差を形成することができる。
【００１２】
この段差は、中央握り部において形成すればよい。アーチ状の把手の場合、その左右端部は握り部として機能しないため、左右端部では下側把手を突出させる必要がない。
【００１３】
アーチ状の上側把手の下端縁の曲率半径を、アーチ状の下側把手の下端面の曲率半径よりも小さくし、下側把手の突出部分を中央握り部で最も大きくし、左右端部に向かうに従い徐々に小さくなるようにすることができる。
【００１４】
この構成によると、下側把手の突出部分が中央握り部を中心として左右に徐々に小さくなり、正面からみて三日月状の突出部分を形成することができ、これに伴い段差もアーチ状に形成されるので、見栄えがよく、かつ握りやすい把手を提供することができる。
【００１５】
また、本発明に係る把手装置は、種々の電気機器に用いることができるが、特に、移動可能な除湿機等の空気調節装置のハウジングの上面に把手装置を設けた場合、外観的にも優れ、かつ持ちやすい把手を提供することができる。
【発明の効果】
【００１６】
以上のとおり、本発明によると、中央握り部において、下側部に対して上側部の断面形状を大きく形成することにより、両者間の外周面に段差が形成されることになり、持ち運びの際に指関節部位が段差に当たり、握りやすく、かつ見栄えのよい把手装置を提供することができる。
【発明を実施するための最良の形態】
【００１７】
以下、本発明の実施形態を図面に基づいて説明する。図１は本発明に係る除湿機の概略構成図、図２は除湿機の正面側からみた外観斜視図である。
【００１８】
図に示すように、本実施形態の除湿機のハウジング１は、前後方向の奥行きに比べて左右方向の横幅が長い横長で、かつ縦方向に長い縦長タイプとされる。ハウジング１を構成する外郭は、図2に示すように、前後面が開口したハウジング本体１ａと、その前面側開口を覆う前面板１ｂと、背面側開口を覆う背面板１ｃとから箱型に形成される。
【００１９】
ハウジング１内には、圧縮機４、凝縮器３および蒸発器２を配管により順次接続されてなる冷凍サイクルが設けられる。ハウジング１の内部は、上下に仕切られ、上側の区画には蒸発器２および凝縮器３が配される。下側の区画には圧縮機４とドレンタンク５とが配置される。ドレンタンク５は、ハウジング１の側面の下部から出し入れ可能とされる。
【００２０】
ハウジング１の前面の上部には第１吹出口６が形成され、背面側の背面板１ｃの左右両側の上部に第１吸込口７ａおよび第２吸込口７ｂが形成される。また、背面板１ｃの中央上方には第２吹出口８が形成される。ハウジング１の上面には、操作部２１と持ち運び用の把手装置２２とが設けられ、下面の４隅にはキャスタ９が取り付けられ、容易に移動可能とされる。
【００２１】
ハウジング１の内部には、第１吸込口７ａから蒸発器２を通って第１吹出口６に至る冷風路１０と、第２吸込口７ｂから凝縮器３を通って第２吹出口８に至る温風路１１とが形成される。冷風路１０では、蒸発器２の下流側に第１送風ファン１２が配される。温風路１１では、凝縮器３の下流側に第２送風ファン１３が配される。
【００２２】
冷風路１０中に、正イオンおよび負イオンを発生するイオン発生装置１５が設けられ、冷風とともに正イオンおよび負イオンが室内に放出される。イオン発生装置１５は、第１送風ファン１２の下流側に配される。また、冷風路１０中に、発熱体としてヒータ１６が設けられる。ヒータ１６は、第１送風ファン１２の下流側に配され、蒸発器２を通過した風を温める。第１吹出口６にはルーバが設けられ、モータによって上下方向に回動される。
【００２３】
温風路１１は、途中で分岐して、冷風路１０に接続される。分岐点は、第２送風ファン１３の下流側に位置し、分岐点に、風の流れ方向を切り替えるダンパ１７が設けられる。ダンパ１７の切替え回動操作により、温風路１１は、冷風路１０に対して独立した状態と、冷風路１０に接続された状態とに切り替えられる。この送風切替の操作によって、温風が第２吹出口８に向かう風の流れと、温風と冷風とを混合して第１吹出口６に向かう風の流れとが選択できる。
【００２４】
図３は把手の一部切欠斜視図、図４は把手の正面図、図５はそのＡ−Ａ断面図、図６は同じくＢ−Ｂ断面図、図7は把手の正面断面図である。
【００２５】
把手装置２２は、合成樹脂製の上側把手２３と、該上側把手に嵌合される合成樹脂製の下側把手２４と、上側把手と下側把手とで囲まれた空間内に配設された補強金具２５とから構成される。
【００２６】
上側把手２３は、アーチ状に形成され、その断面形状が逆凹状に形成され、その長さ方向に沿って内部に補強リブ２６が突出されている。上側把手２３の左右端部はハウジング１の上面部に形成された凹部２７に嵌めこまれ、ハウジング１と一体化される。
【００２７】
下側把手２４は、アーチ状に形成され、その断面形状が上側把手２３の逆凹状部の開口部２３ａを閉塞するように形成される。つまり、下側把手２４は、上側把手２３の逆凹状部の開口部２３ａに下側から嵌まり込む前後幅を有し、かつ補強金具２５を内接可能な凹状に形成される。下側把手２４の内側には長さ方向に沿ってリブ２８が突出され、下側把手２４のリブ２８と上側把手２３のリブ２６とで補強金具２５を挟み込むようにしている。下側把手２４の左右端部はハウジング１の上面部に接合され、上側把手２３の下側開口部を覆うようにしている。
【００２８】
補強金具２５は、金属製の板材をアーチ状に湾曲させ、その前後縁が上方に折曲されて剛性を確保するようにしている。補強金具２５の左右両端部の板材にはハウジング１にビス止め固定するためのビス穴３０が形成されている。
【００２９】
そして、本実施形態では、上下の把手２３，２４が別々に成形され、次のように設定される。上側把手２３の下端縁２３ａの曲率半径は、下側把手２４の下端面の曲率半径よりも小さく設定され、中央握り部３１において、下側把手２４が下方に突出している。突出部分３２は、中央握り部３１で最も大きく、左右端部に向かうに従い徐々に小さくなり、左右端部では、上側把手２３の下端縁２３ａと下側把手２４の下端面とがほぼ面一になるように設定される。したがって、把手２３，２４の上下幅は、中央握り部３１が最も大きく左右端部に向かうに従い徐々に小さくなる。
【００３０】
また、下側把手２４が上側把手２３の下端縁２３ａよりも下方に突出することにより、上側把手２３の下端縁２３ａと下側把手２４の下方突出部分２４ａとの間で、その外周面に段差３３が形成される。この段差３３は、図３および図７に示すように、上側把手２３の曲率と下側把手２４の曲率の違いにより発生するもので、中央握り部３１において形成され、中央握り部を握ったときに、指関節が段差３３に引っ掛かりやすくなっている。
【００３１】
上記構成の把手装置においては、別々に成形した上下の把手２３，２４を嵌め合わせる。その際に、内部に補強金具２５を上下の把手２３，２４のリブ２６，２８で挟み込み、ビス３４により上下の把手２３，２４を固定し（図５参照）、組み立てる。そのため、把手装置２２の組立作業が容易に行える。ハウジング１への組立は、ハウジング１の上面部の凹部２７に上側把手２３の左右端部を嵌め込むと共にビスにより補強金具２５を固定する。
【００３２】
このように組み立てられた把手装置２２においては、中央握り部において、下側把手２４が上側把手２３の下端縁２３ａよりも下方に突出する突出部分３２を有し、この突出部分３２と上側把手２３の下端縁２３ａとの間に段差３３が形成される。この段差３３には、中央握り部を握ったときに、指関節が引っ掛かり、持ちやすくなる。
【００３３】
また、アーチ状の上側把手２３の下端縁の曲率半径を、下側把手２４の下端面の曲率半径よりも小さくし、下側把手２４の突出部分３２を中央握り部で最も大きくし、左右端部に向かうに従い徐々に小さくなるようにしているので、正面からみて三日月状の突出部分３２が形成され、段差３３もアーチ状となる。そのため、見栄えがよく、かつ握りやすい把手装置２２となる。
【００３４】
なお、本発明は、上記実施形態に限定されるものではなく、本発明の範囲内で上記実施形態に多くの修正および変更を加え得ることは勿論である。例えば、本実施形態では除湿機に本発明を適用しているが、除湿機以外の、例えば一体型空気調和機、クーラ、冷風機等の空気調節装置に本発明を適用してもよい。また、上記実施形態では、把手装置２２を上下の把手と補強金具により構成したが、把手装置として、合成樹脂製の把手の内部に補強金具をインサート成形し、外周面に段差を形成するようにしてもよい。
【図面の簡単な説明】
【００３５】
【図１】本発明に係る除湿機の概略構成を示す図
【図２】除湿機の正面側からみた外観斜視図
【図３】把手の一部切欠斜視図
【図４】把手の正面図
【図５】図４のＡ−Ａ断面図
【図６】図４のＢ−Ｂ断面図
【図７】把手の正面断面図
【符号の説明】
【００３６】
１    ハウジング
１ａ    ハウジング本体
１ｂ    前面板
１ｃ    背面板
２    蒸発器
３    凝縮器
４    圧縮機
５    ドレンタンク
６    第１吹出口
７ａ、７ｂ    吸込口
８    第２吹出口
１２    第１送風ファン
１３    第２送風ファン
１５    イオン発生装置
１６    ヒータ
２２    把手装置
２３    上側把手
２３ａ  下端縁
２４    下側把手
２５    補強金具
２６    リブ
２７    凹部
２８    リブ
３０    ビス穴
３１    中央握り部
３２    突出部分
３３    段差
【図１】
2007237076.tif 000003
【図２】
2007237076.tif 000004
【図３】
2007237076.tif 000005
【図４】
2007237076.tif 000006
【図５】
2007237076.tif 000007
【図６】
2007237076.tif 000008
【図７】
2007237076.tif 000009